(57)【要約】【課題】使用時に靴紐を常時結んだままの状態で着脱容易な皮革製の紐靴を提供する。【解決手段】革靴としての紐靴１０の卵部を成す各人工皮革部分３，５及び踵部１０Ａ側の人工皮革部分４よりも弾性ないしは伸縮率が大きいストレッチ素材の人工皮革が、左右一対の第１羽根部分１Ａの素材として用いられている。第１羽根部分１Ａと第２羽根部分１Ｂとから、紐靴１０の各羽根１（１Ｌ，１Ｒ）は構成される。使用者が靴紐２を解かないで本紐靴１０を脱ぐときには、各第１羽根部分１Ａは、その周囲の各人工皮革部分３，４，５よりも大きく伸長する。靴紐２が結ばれたままの状態に於いて使用者が紐靴１０を履く場合には、靴ベラ又は指１本を踵部１０Ａ側へ挿入しつつ使用者がその足を履き口７から中敷き内へ挿入することで、各第１羽根部分１Ａは、その周囲の各人工皮革部分３，４，５よりも大きく伸長する。【選択図】図１
2015035991.tif 000002
【特許請求の範囲】
【請求項１】
皮革製の紐靴であって、
その各々の周囲の皮革の部分よりも伸縮率が大きい生地部分を有する左右一対の羽根
を備えることを特徴とする、紐靴。
【請求項２】
請求項１に記載の紐靴であって、
前記左右一対の羽根の各々は、その周囲の人工皮革の部分よりも伸縮率が大きい前記生地部分を有する
ことを特徴とする、紐靴。
【請求項３】
請求項２に記載の紐靴であって、
前記左右一対の羽根の各々の前記生地部分は、ストレッチ素材の人工皮革より成る
ことを特徴とする、紐靴。
【請求項４】
請求項１乃至３の何れか一項に記載の紐靴の使用方法であって、
前記紐靴の靴紐を結んだままの状態にて前記紐靴の履き口より足を前記紐靴より脱ぐステップと、
前記足を脱いだ後の前記紐靴の前記靴紐が結ばれた状態のままにて、前記紐靴の前記履き口より前記足を入れて前記紐靴を履くステップと
を備えたことを特徴とする、紐靴の使用方法。
【発明の詳細な説明】
【技術分野】
【０００１】
この発明は、男性用紐靴又は女性用紐靴に適用可能な、全ての「皮革製の紐靴」の技術に関する。紐靴の「皮革製」の部分は、当該紐靴の一部分であっても良い。
【背景技術】
【０００２】
例えば、ビジネスシューズ、又は、ビジネス用途及びカジュアル用途の何れにも使用可能な人工皮革靴の内で、甲部分の羽根の部分に配設されている紐を結んで靴を履く「紐靴」を好む人も多い。
【０００３】
紐靴の革靴の場合、その革靴を履く者が、当該紐靴の革靴の甲部分に立体交差状に設けられている一本の紐の両端部分を引き締めて結ぶことで、当該革靴を履くことになる。そのため、当該紐靴の革靴の人工皮革の生地部分の裏側面が、人の足の全面に、特に足の甲部分及び踵部分に、ピッタリとフィットするので、当該紐靴の革靴を履いて歩いている際に革靴内で人の足がずれて動く状態の発生は比較的に少なく、そのフィット感がその者の履き心地感を高めると共に、歩行中の当該紐靴の革靴の見た目も、靴紐の無い革靴と比較して良いので、履く者のオシャレ感が高揚される。
【０００４】
尚、非特許文献１では、外反母趾又はリウマチ対策として、靴のつま先部分に、ストレッチ素材の人工皮革を用いた靴が提案されている。
【先行技術文献】
【非特許文献】
【０００５】
【非特許文献１】立川靴工房・東京のＨＰ「人工皮革の靴  伸びるストレッチ素材で足ラクラク」（ＵＲＬ：ｈｔｔｐ：／／ｗｗｗ．ｔｋ４１９２．ｃｏｍ／）
【発明の概要】
【発明が解決しようとする課題】
【０００６】
紐靴の革靴は、その革靴を履いて歩行している場合には上記の様な利点を奏するのであるが、当該紐靴の革靴を脱ぐ場合には、通常は、結ばれている靴紐をほどくことになる。そのため、後に当該紐靴の革靴を履く場合には、その都度、靴紐を結ばなければならないこととなり、不便性を感じる利用者も多いのが現実である。例えば、病院又は居酒屋等を訪れた際に、その出入り口にて、当該革靴から備え付けの草履に履き替えるケースは多い。或いは、新幹線・在来線の特急電車等の長距離列車に乗って座席に座った場合に、足が窮屈なために、当該紐靴の革靴を脱ぐ人も多い。その場合、当該紐靴の革靴を脱いで座席に座っている人が、例えば便所に行く際、若しくは、降車する際には、その者は靴紐を結んで当該紐靴の革靴を履かねばならない。
【０００７】
斯かる不便さを回避する策としては、紐靴の革靴を脱ぐ際に、当該靴紐を解かないで、そのままの状態にて革靴内の足を動かしつつ当該紐靴の革靴を強引に脱ぐことも、考えられる。しかしながら、当該紐靴の革靴を再び履く際には、靴紐が結ばれたままの状態の革靴の履き口から足を靴の中底内に嵌め込むこととなるが、そのためには、例えば靴ベラ又は指一本を、履き口の踵部分（バッヂ）に無理やり挿入した上で当該踵部分を引っ張りながら足を捻じ込むことで、当該紐靴の革靴を履くことになる。しかし、その様な強引且つ横着な当該紐靴の革靴の履き方を反復して実行している場合には、中底へ嵌め込む足自体がその度毎に痛いのみならず、当該紐靴の革靴の各部の劣化が、特に踵部分が早く傷んでしまうことになり、当該紐靴の革靴の寿命が短くなってしまうという不都合が生じるので、上記の履き方は好ましくない。
【０００８】
又、上記の問題点は、皮革製の運動靴用途のスニーカーに関しても、同様に生じ得る問題点である。しかも、上記の問題点は、男性用紐靴及び女性用紐靴の各々に関して、同様に生じ得る問題点である。
【０００９】
この発明は、以上の問題点に鑑みて成されたものであり、その主目的は、靴紐を一々解かないでも、容易に且つ即座に、並びに、踵部分等の紐靴の各部を劣化させることなく、更に足の痛みを感じることなく当初のフィット感を保ったままで、靴紐が結ばれた状態を維持しつつ、皮革製の紐靴の着脱をスムースに行うことが出来る紐靴の構造を提案することにある。
【課題を解決するための手段】
【００１０】
本発明の主題に係る皮革製の紐靴は、その各々の周囲の皮革の部分よりも伸縮率が大きい生地部分を有する左右一対の羽根を備えることを特徴とする。
【００１１】
特に、本発明の主題に係る皮革製の紐靴は、上記の生地部分として「ストレッチ素材の人工皮革」より成る部分を有する、左右一対の羽根を備えることを特徴とする。
【発明の効果】
【００１２】
本発明の主題によれば、靴紐を結んだままの状態で皮革製の紐靴（例：紐靴の革靴又は皮革を備えるスニーカー。）を当該紐靴の使用者が脱いだ場合に於いて、その後に当該状態のままで使用者が当該紐靴を履くときには、靴ベラ又は指一本を当該紐靴の履き口の踵部に挿入して使用者の足を当該紐靴の履き口から挿入することで、左右一対の羽根の各々は共にその周辺の皮革部分よりも大きく伸長する。その結果、使用者は、靴紐が結ばれたままの状態にある紐靴を、当該靴紐を解くこと無く、容易に当該紐靴を履くことが出来る。しかも、使用者は、その様な紐靴の脱ぎ方及び履き方を常時行っても、当該紐靴の履き口の部分を、特にその踵部分を、損傷させることはない。そのため、使用者は、上記の紐靴の脱ぎ方及び履き方を継続して、速やかに当該紐靴の着脱を行いつつ、且つ、当該紐靴と使用者の足との当初のフィット感を毎時維持しつつ、当該紐靴をより永い期間に亘って履き続けることが出来る。
【００１３】
以下、本発明の様々な具体化を、添付図面を基に、その効果・利点と共に、詳述する。
【図面の簡単な説明】
【００１４】
【図１】本発明の実施の形態１に係る紐靴の構造を模式的に示す側面図である。
【図２】図１に記載の紐靴の上方から眺めた際の紐靴の平面視を模式的に示す平面図である。
【発明を実施するための形態】
【００１５】
（本発明の実施の形態に係る「皮革製の紐靴」の特徴点）
その特徴点は、皮革製の紐靴の左右に対向した一対の羽根の各々が、「その周囲の皮革部分又は人工皮革の部分と比較して弾性ないしは伸縮率が大きい生地部分を有する」点にある。その「生地部分」とは、例えば、羽根の側面側の部分（例：ストレッチ素材の人工皮革の部分。）に該当する。又は、「生地部分」とは、例えば、紐靴の甲部の上部に位置する羽根部分と、当該羽根部分に縫合された上記の側面側の部分とより成る部分でも良い。後者の場合には、「生地部分」の上記の羽根部分は、上記の側面側部分の伸縮に応じて伸縮することとなり、上記の側面側部分の伸縮作用を吸収する緩衝部分としても機能する。又は、「生地部分」とは、例えば、上記の羽根の側面側の部分の一部分であっても良い。又、本発明の実施の形態に係る「紐靴」は、男性用のものでも良いし、或いは、女性用のものでもあっても良い。
【００１６】
尚、羽根の上記の羽根部分の構成は、外羽根式でも良いし、又は、内羽根式でも良い。
【００１７】
（実施の形態１）
＜革靴としての紐靴１０の構造＞
図１は、本実施の形態に係る「革靴としての紐靴」（以下「紐靴の革靴」という。）１０の、右足用革靴の内足側ないしは左側面側から眺めた場合の構造を模式的に示す側面図である。図１の紐靴の革靴１０の右足用革靴の、外足側ないしは右側面側から眺めた場合の構造を成す各構成要素も、図１の場合と同様である。又、図２は、図１の矢印ＡＲの方向から右足用の紐靴の革靴１０を眺めた際の紐靴の革靴１０の構造を模式的に示す正面図である。両図１，２に於いて、破線部分は、縫い目部分を示す。
【００１８】
尚、図１及び図２に例示される紐靴の革靴１０は、その用途がビジネス及びカジュアル兼用の紐靴の革靴（所謂「ウォーキングシューズ」に該当。）の例であるが、紐靴の革靴１０は、典型的な革靴である「ビジネスシューズ」の様な紳士靴であっても良いし、皮革性のスニーカー（レザー・スニーカー）の様な運動靴用途の革靴でも良いことは勿論である。更には、紐靴の革靴１０に代えて、皮革製の紐靴は、皮革（例えば人工皮革。）製の羽根を有するスニーカーであっても良い。
【００１９】
図１及び図２に示される様に、外羽根式の構造の内足側の羽根１（１Ｌ）及び上記の羽根１Ｌと対向して一対の羽根を成す外足側の羽根１（１Ｒ）の各々は、大要、１）紐靴の革靴１０の甲部の甲革６の上部に於いて左右より張り出した羽根構造を成す第１羽根部分１Ｂと、２）第１羽根部分１Ｂと縫い糸１ＳＥＷにより縫合された、羽根の「側面側部分」を成す第２羽根部分１Ａとから、構成される。ここでは、図示の便宜上、左右の第２羽根部分１Ａは、ハッチングを付して表示されている。そして、左右一対の第１羽根部分１Ｂの各々には、各貫通穴乃至は鳩目１Ｈを通されて成る１本の靴紐２が、配設されている。後述する様に、靴紐２の両端部は、本革靴１０の使用時に於いては、常時、結ばれた状態にあり、通常は使用者が積極的に解かない限り解かれることはない。
【００２０】
構造上、特筆すべき点は、左右の第２羽根部分１Ａの各々は、ストレッチ素材の人工皮革（非特許文献１参照。）より成る一方、その他の周囲の各革部分の素材は、従来の人工皮革より成る。そのため、左右の第２羽根部分１Ａの各々は、その周囲の人工皮革部分の各々と比較して、より大きな弾性ないしは伸縮率を有しており、より一層に伸び縮みし易い特性を有する。
【００２１】
羽根１のその他の構成要素（主として、従来の「人工皮革部分」より成る。）は、以下の通りである。
【００２２】
紐靴の革靴１０の卵部分は、飾り革３及び爪先革５より成る。両革３，５は、従来の人工皮革より成る皮革部分である。そして、左右一対の各第２羽根部分１Ｂの一部が、飾り革３に縫合されている。更に、左右一対の各第１羽根部分１Ａの一部も、飾り革３に縫合されている。
【００２３】
又、紐靴の革靴１０の甲部分には、爪先革５と結合した甲革６が配設されている。この甲革６の上部を、左側及び右側から、一対の第２羽根部分１Ｂが覆う。
【００２４】
又、紐靴の革靴１０の踵部１０Ａ側のバッヂ部分には、従来の人工皮革より成る皮革部分である腰革４が、左右一対の第１羽根部分１Ａの各々の一部との縫合により、配設されている。
【００２５】
又、紐靴の革靴１０の履き口７の内側には、中底の中敷き９が配設されている。そして、本革靴１０の下部全体に亘って、本底８が配設されている。
【００２６】
＜紐靴の革靴１０の使用時の着脱方法＞
ステップＳ１；使用者は、靴紐２が結ばれた状態を保ったまま、紐靴の革靴１０より、その足を脱ぐ動作を行う。この動作により、左右一対の第１羽根部分１Ａの各々は、その周囲の皮革部分３，４，５よりも、遥かに大きく伸長する。その伸長動作により、使用者は、従来の場合と比較して容易に、靴紐２を解かないままで、当該革靴１０より、その足を脱ぐことが出来る。この点は、両足の各革靴１０に関して、作用する。その後、第１羽根部分１Ａの各々は、伸びた状態から速やかに縮小する。
【００２７】
ステップＳ２；使用者は、靴紐２が結ばれた状態のままである紐靴の革靴１０の履き口７より、その足を挿入する。その際に、使用者は、靴ベラがあるときにはそれを用いて踵部１０Ａ側に挿入し、靴ベラが無い場合には、自己の１本の指を踵部１０Ａ側に挿入する。この足の中敷き９への挿入動作に応じて、左右一対の第１羽根部分１Ａの各々は共に、即座に、その周囲の皮革部分３，４，５よりも、遥かに大きく伸長する。この伸長動作により、使用者は、一切、靴紐２を解くことなく、その足全体を、中敷き９内へ容易に且つ即座に挿入することが出来る。しかも、その際に、使用者は、足に圧迫力等による痛みを感じることなく、足の甲部と甲革６とを快適に密着・フィットさせて、当初からの履き心地感を維持したままで本革靴１０を履くことが可能となる。そのため、紐靴の革靴１０の踵部１０Ａ側を損傷させずに、比較的に永きに亘って、本革靴１０を履き続けることも可能となる。勿論、見た目の良さ（ファッション感覚）も、維持される。
【００２８】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００２９】
本発明は、例えば、ビジネスシューズ若しくはビジネス用途及びカジュアル用途兼用のウォーキングシューズ又は皮革製のスニーカーの様な、種々の「皮革製の紐靴」に適用して好適である。「皮革」は、「人造皮革」（人工皮革等）あるいは「天然皮革」より成る。尚、本発明の利用可能な「皮革製の紐靴」の使用者の性別（男性・女性）は問われない。
【符号の説明】
【００３０】
１  羽根
１Ａ  第１羽根部分
１Ｂ  第２羽根部分
２  １本の靴紐
３  飾り革
４  腰革
５  爪先革
６  甲革
７  履き口
８  本底
９  中底の中敷き
１０  紐靴の革靴
１０Ａ  踵部分
【図１】
2015035991.tif 000003
【図２】
2015035991.tif 000004